(57)【要約】【課題】多量の髪の毛を切りすぎることなく、適度な量の髪の毛を切ることを可能にするハサミを提供する。【解決手段】平刃と櫛歯とからなる梳きバサミにおいて、各櫛歯１２５の先端には凹部１２６が形成されている。【選択図】図１
0003139583.tif 000002
【実用新案登録請求の範囲】
【請求項１】
回動中心点を中心として一方の側には刃部が、他方の側には把手部がそれぞれ形成されている一対のハサミ形成部材を前記回動中心点において相互に回動可能に連結することにより形成されたハサミであって、
前記一対のハサミ形成部材の一方の刃部は平刃であり、
前記一対のハサミ形成部材の他方には、長さ方向に開口部が相互に間隔を開けて形成されることにより、隣接する開口部の間に櫛歯が形成されており、
前記櫛歯のうち少なくとも一つの櫛歯の先端には少なくとも一つの凹部が形成されているハサミ。
【請求項２】
回動中心点を中心として一方の側には刃部が、他方の側には把手部がそれぞれ形成されている一対のハサミ形成部材を前記回動中心点において相互に回動可能に連結することにより形成されたハサミであって、
前記一対のハサミ形成部材の一方の刃部は平刃であり、
前記一対のハサミ形成部材の他方には、長さ方向に開口部が相互に間隔を開けて形成されることにより、隣接する開口部の間に櫛歯が形成されており、
前記櫛歯のうち少なくとも一つの櫛歯の先端には少なくとも一つの凸部が形成されているハサミ。
【請求項３】
回動中心点を中心として一方の側には刃部が、他方の側には把手部がそれぞれ形成されている一対のハサミ形成部材を前記回動中心点において相互に回動可能に連結することにより形成されたハサミであって、
前記一対のハサミ形成部材の一方の刃部は平刃であり、
前記一対のハサミ形成部材の他方には、長さ方向に開口部が相互に間隔を開けて形成されることにより、隣接する開口部の間に櫛歯が形成されており、
前記櫛歯のうち少なくとも一つの櫛歯の先端には少なくとも一つの凹部と少なくとも一つの凸部とが形成されており、
前記凸部は、前記一対のハサミ形成部材の長さ方向において、前記凹部よりも、前記一対のハサミ形成部材の先端側に位置しているハサミ。
【請求項４】
前記凹部は、前記一対のハサミ形成部材の長さ方向において、前記櫛歯の中心位置よりも前記一対のハサミ形成部材の先端側に位置していることを特徴とする請求項１または３に記載のハサミ。
【請求項５】
前記一対のハサミ形成部材の長さ方向における前記凹部の幅は０．３乃至０．７ｍｍであることを特徴とする請求項１、３または４に記載のハサミ。
【請求項６】
前記一対のハサミ形成部材の長さ方向と直交する方向における前記凹部の深さは０．５乃至１．２ｍｍであることを特徴とする請求項１、３、４または５に記載のハサミ。
【請求項７】
前記凸部は、前記一対のハサミ形成部材の長さ方向において、前記櫛歯の中心位置よりも前記一対のハサミ形成部材の先端側に位置していることを特徴とする請求項２または３に記載のハサミ。
【請求項８】
前記一対のハサミ形成部材の長さ方向と直交するにおける前記凸部の高さは０．５乃至１．２ｍｍであることを特徴とする請求項２、３または７に記載のハサミ。
【請求項９】
前記開口部は、刃面から遠ざかるにつれて開口幅が大きくなるように形成されていることを特徴とする請求項１乃至８の何れか一項に記載のハサミ。
【考案の詳細な説明】
【技術分野】
【０００１】
本考案はハサミ、特に、理髪用の梳きバサミに関する。
【背景技術】
【０００２】
理髪時には、理髪用ハサミ（刃が２つとも平刃（直刃）のハサミ）を使って髪を切った後、最後の仕上げ時に梳きバサミが用いられる。
【０００３】
一般に、梳きバサミは、一方の刃が平刃（直刃）であり、他方の刃が櫛歯状になっている。
【０００４】
櫛歯状になっている刃は、刃をなす部分と、空洞の部分とが連続して形成されており、空洞の部分によっては、髪は切られることはなく、刃をなす部分によってのみ、髪が切られる。このため、理髪の仕上げ用として梳きバサミを使用することにより、髪を梳くことができる。すなわち、梳きバサミを使用することにより、短く刈った髪が混在するようにすることが可能になる。
【０００５】
梳きバサミの一例が特開２００７−２０９７６号公報に記載されている。
【０００６】
同公報に記載されている梳きバサミにおいては、各歯部片の先端の刃口にその口幅の中央部へ傾斜により低くなる窪み刃（同公報の図２における参照符号２１が「窪み刃」を示す）が形成されている。
【０００７】
このような窪み刃を設けることにより、刃口に髪が掛かりやすくなるため、髪のカット率を安定化させることができる、というものである。
【考案の開示】
【考案が解決しようとする課題】
【０００８】
しかしながら、本考案者の長年の研究によれば、梳きバサミにおける一番の問題は、上記公報が問題にしているように、刃口に髪が掛かりやすいか否かではなく、櫛歯状になっている刃によって、多量の髪の毛を切りすぎることなく、適度な量の髪の毛を切ることができるか否かであることが判明した。
【０００９】
これまでの梳きバサミにおいては、例えば、切れずに残った髪が各空洞部分に入り込んだような場合には、空洞部分から髪の毛がなかなか抜けずに、適度な量の髪の毛をカットすることが困難であることが多かった。
【００１０】
本考案は、このような従来の梳きバサミにおける問題点に鑑みてなされたものであり、多量の髪の毛を切りすぎることなく、適度な量の髪の毛を切ることを可能にするハサミを提供することを目的とする。
【課題を解決するための手段】
【００１１】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【００１２】
上記の目的を達成するため、本考案は、回動中心点を中心として一方の側には刃部（１１１、１２１）が、他方の側には把手部（１１２、１２２）がそれぞれ形成されている一対のハサミ形成部材（１１０、１２０）を前記回動中心点において相互に回動可能に連結することにより形成されたハサミ（１００）であって、前記一対のハサミ形成部材の一方（１１０）の刃部は平刃であり、前記一対のハサミ形成部材の他方（１２０）には、長さ方向に開口部（１４０）が相互に間隔を開けて形成されることにより、隣接する開口部（１４０）の間に櫛歯（１２５）が形成されており、前記櫛歯（１２５）のうち少なくとも一つの櫛歯（１２５）の先端には少なくとも一つの凹部（１２６）が形成されているハサミ（１００）を提供する。
【００１３】
本考案は、さらに、回動中心点を中心として一方の側には刃部（１１１、１２１）が、他方の側には把手部（１１２、１２２）がそれぞれ形成されている一対のハサミ形成部材（１１０、１２０）を前記回動中心点において相互に回動可能に連結することにより形成されたハサミ（３００）であって、前記一対のハサミ形成部材の一方（１１０）の刃部は平刃であり、前記一対のハサミ形成部材の他方（１２０）には、長さ方向に開口部（１４０）が相互に間隔を開けて形成されることにより、隣接する開口部（１４０）の間に櫛歯（１２５）が形成されており、前記櫛歯（１２５）のうち少なくとも一つの櫛歯（１２５）の先端には少なくとも一つの凸部（３１０）が形成されているハサミ（３００）を提供する。
【００１４】
本考案は、さらに、回動中心点を中心として一方の側には刃部（１１１、１２１）が、他方の側には把手部（１１２、１２２）がそれぞれ形成されている一対のハサミ形成部材（１１０、１２０）を前記回動中心点において相互に回動可能に連結することにより形成されたハサミであって、前記一対のハサミ形成部材の一方の刃部（１１０）は平刃であり、前記一対のハサミ形成部材の他方（１２０）には、長さ方向に開口部（１４０）が相互に間隔を開けて形成されることにより、隣接する開口部（１４０）の間に櫛歯（１２５）が形成されており、前記櫛歯（１２５）のうち少なくとも一つの櫛歯（１２５）の先端には少なくとも一つの凹部（１２６）と少なくとも一つの凸部（３１０）とが形成されており、前記凸部（３１０）は、前記一対のハサミ形成部材（１１０、１２０）の長さ方向において、前記凹部（１２６）よりも、前記一対のハサミ形成部材（１１０、１２０）の先端側に位置しているハサミを提供する。
【００１５】
前記凹部（１２６）は、前記一対のハサミ形成部材（１１０、１２０）の長さ方向において、前記櫛歯（１２５）の中心位置よりも前記一対のハサミ形成部材（１１０、１２０）の先端側に位置していることが好ましい。
【００１６】
前記一対のハサミ形成部材（１１０、１２０）の長さ方向における前記凹部（１２６）の幅は０．３乃至０．７ｍｍであることが好ましい。
【００１７】
前記一対のハサミ形成部材（１１０、１２０）の長さ方向と直交する方向における前記凹部（１２６）の深さは０．５乃至１．２ｍｍであることが好ましい。
【００１８】
前記凸部（３１０）は、前記一対のハサミ形成部材（１１０、１２０）の長さ方向において、前記櫛歯（１２５）の中心位置よりも前記一対のハサミ形成部材（１１０、１２０）の先端側に位置していることが好ましい。
【００１９】
前記一対のハサミ形成部材（１１０、１２０）の長さ方向と直交するにおける前記凸部（３１０）の高さは０．５乃至１．２ｍｍであることが好ましい。
【００２０】
前記開口部（１４０）は、刃面（１２３）から遠ざかるにつれて開口幅が大きくなるように形成されていることが好ましい。
【考案の効果】
【００２１】
一般に、ハサミ形成部材の刃部の切れ味が低下すると、髪の毛が刃部の刃面において滑ってしまい、髪の毛を所望の通りにカットすることが難しくなる。このような場合、ハサミ形成部材の刃部の刃面に凹部を形成することにより、凹部に髪の毛が収納されるため、これらの髪の毛は他方のハサミ形成部材の刃部により、確実にカットされる。凹部に収納される髪の毛は数本の単位であるため、多量の髪の毛を切りすぎることなく、適度な量の髪の毛を切ることが可能になる。
【００２２】
また、ハサミ形成部材の刃部の刃面に凸部を形成することにより、凸部に髪の毛が留められることにより、すなわち、凸部によって髪の毛が刃面上を滑り落ちることが防止されるため、凹部を形成した場合と同様に、適度な量の髪の毛をカットすることが可能になる。
【考案を実施するための最良の形態】
【００２３】
（第一の実施形態）
図１は、本考案の第一の実施形態に係るハサミ１００の平面図である。
【００２４】
本実施形態に係るハサミ１００は一対のハサミ形成部材、すなわち、第一のハサミ形成部材１１０と第二のハサミ形成部材１２０とからなる。
【００２５】
第一のハサミ形成部材１１０及び第二のハサミ形成部材１２０は、例えば、双方とも鋼鉄でつくられている。
【００２６】
第一のハサミ形成部材１１０には回動中心点となる箇所に孔（図１では見えない）が形成されており、この回動中心点となる孔の一方の側（図１の左側）には刃部１１１が、他方の側（図１の右側）には把手部としてのリング１１２が形成されている。
【００２７】
第二のハサミ形成部材１２０には回動中心点となる箇所に孔（図１では見えない）が形成されており、この回動中心点となる孔の一方の側（図１の左側）には刃部１２１が、他方の側には把手部としてのリング１２２が形成されている。
【００２８】
第一のハサミ形成部材１１０及び第二のハサミ形成部材１２０は、それぞれ回動中心点に形成されている孔に回動軸１３０を通すことによって、相互に回動可能に連結されている。
【００２９】
把手部としてのリング１１２、１２２に指を通し、回動軸１３０を中心として、第一のハサミ形成部材１１０及び第二のハサミ形成部材１２０を相互に回転させることにより、第一のハサミ形成部材１１０及び第二のハサミ形成部材１２０の各刃部１１１、１２１が相互に閉じた状態（図１に示す状態）と相互に開いた状態とを取ることができる。
【００３０】
第一のハサミ形成部材１１０の刃部１１１は平刃（直刃）として形成されている。
【００３１】
これに対して、第二のハサミ形成部材１２０の刃部１２１は櫛歯状に形成されている。
【００３２】
すなわち、本実施形態に係るハサミ１００はいわゆる梳きバサミである。通常、第一のハサミ形成部材１１０のリング１１２には薬指を、第二のハサミ形成部材１２０のリング１２２には親指を入れる。髪のカット時には、平刃の第一のハサミ形成部材１１０をほぼ静止状態に保持しておき、親指のみを反復して動かすことにより、第一のハサミ形成部材１１０及び第二のハサミ形成部材１２０の各刃部１１１、１２１を開閉させ、髪をカットする。このように、第一のハサミ形成部材１１０の刃部１１１は静止状態に保持され、さらに、第二のハサミ形成部材１２０の刃部１２１のみが動くため、第一のハサミ形成部材１１０の刃部１１１は「静刃」と、第二のハサミ形成部材１２０の刃部１２１は「動刃」と呼ばれることがある。
【００３３】
図１に示すように、第二のハサミ形成部材１２０の刃部１２１には、その長さ方向Lに開口部１４０が一定間隔で形成されている。すなわち、第二のハサミ形成部材１２０の刃部１２１には、複数の開口部１４０が形成されている結果として、隣接する開口部１４０の間に櫛歯１２５が形成されている。
【００３４】
図２は第二のハサミ形成部材１２０の刃部１２１を部分的に拡大した平面図である。
【００３５】
図２に示すように、開口部１４０の各々は、刃部１２１の刃面１２３を先端として、第二のハサミ形成部材１２０の刃部１２１の幅方向Ｗ（第二のハサミ形成部材１２０の刃部１２１の長さ方向Lに直交する方向）において、刃面１２３から長さＷＡの位置まで延びており、さらに、長さＷＡの範囲内において、刃面１２３から遠ざかるにつれて開口幅（第二のハサミ形成部材１２０の刃部１２１の長さ方向Lにおける長さ）が大きくなるように形成されている。
【００３６】
図２に示すように、刃部１２１の刃面１２３は、ハサミ１００の先端側が高く、リング１１２、１２２側が低くなるように、傾斜している。
【００３７】
図２に示すように、各櫛歯１２５には、その先端において、すなわち、刃部１２１の刃面１２３においてＶ字形状（あるいは、三角形形状）の凹部１２６が形成されている。
【００３８】
凹部１２６は数本の髪の毛が入る程度の大きさに形成されている。
【００３９】
考案者が試作品を製作して試験を行ったところ、第二のハサミ形成部材１２０の刃部１２１の長さ方向Lにおける凹部１２６の幅は０．３乃至０．７ｍｍであることが好ましく、また、第二のハサミ形成部材１２０の刃部１２１の幅方向Ｗにおける凹部１２６の深さは０．５乃至１．２ｍｍであることが好ましいことが判明した。
【００４０】
例えば、凹部１２６は数本の髪の毛が入る程度の大きさであれば十分であるため、凹部１２６の幅が比較的大きい場合には、凹部１２６の深さは比較的小さくてもよく、あるいは、凹部１２６の幅が比較的小さい場合には、凹部１２６の深さは比較的大きくすればよい。このように、凹部１２６の幅及び深さは、一方との大小関係において、他方を決定すればよい。
【００４１】
また、凹部１２６は、第二のハサミ形成部材１２０の刃部１２１の長さ方向Lにおいて、各櫛歯１２５の刃面１２３における中心位置に形成されている。
【００４２】
以上のような構造を有する本実施形態に係るハサミ１００は以下のような機能を奏する。
【００４３】
一般に、第二のハサミ形成部材１２０の刃部１２１の切れ味が低下すると、髪の毛が刃部１２１の刃面１２３において滑ってしまい、髪の毛を所望の通りにカットすることが難しくなる。
【００４４】
このような場合、本実施形態に係るハサミ１００によれば、第二のハサミ形成部材１２０の刃部１２１の刃面１２３に形成された凹部１２６に髪の毛が収納されるため、これらの髪の毛は第一のハサミ形成部材１１０の刃部１１１により、確実にカットされる。
【００４５】
凹部１２６に収納される髪の毛は数本の単位であるため、多量の髪の毛を切りすぎることなく、適度な量の髪の毛を切ることが可能になる。
【００４６】
本実施形態に係るハサミ１００は上記の構造に限定されるものではなく、種々の改変が可能である。
【００４７】
例えば、本実施形態に係るハサミ１００においては、各櫛歯１２５において一つの凹部１２６が形成されているが、各櫛歯１２５に形成される凹部１２６の数は一つには限定されない。二つ以上の凹部１２６を形成することが可能である。その場合、各凹部１２６の大きさは同一であってもよく、あるいは、相互に異なっていてもよい。
【００４８】
図３は、各櫛歯１２５に３つのＶ字形状の凹部１２６１、１２６２、１２６３を形成した場合の刃部１２１の部分的な拡大平面図である。
【００４９】
３つの凹部１２６１、１２６２、１２６３は、第二のハサミ形成部材１２０の刃部１２１の長さ方向Lにおいて、等間隔に形成されている。
【００５０】
髪の毛２００は刃部１２３上を滑って一番目の凹部１２６１に入り込む。このようにして一番目の凹部１２６１に入り込んだ髪の毛２００は、第一のハサミ形成部材１１０の刃部１１１によりカットされる。
【００５１】
一番目の凹部１２６１が髪の毛２００で満たされている場合には、他の髪の毛２００は刃部１２３上をさらに滑り、二番目の凹部１２６２に入り込む。二番目の凹部１２６２に入り込んだ髪の毛２００は第一のハサミ形成部材１１０の刃部１１１によりカットされる。
【００５２】
一番目の凹部１２６１及び二番目の凹部１２６２が髪の毛２００で満たされている場合には、他の髪の毛２００は刃部１２３上をさらに滑り、三番目の凹部１２６３に入り込む。三番目の凹部１２６３に入り込んだ髪の毛２００は第一のハサミ形成部材１１０の刃部１１１によりカットされる。
【００５３】
このように、各櫛歯１２５に形成される凹部の数が多くなるほど、より多くの髪の毛２００をカットすることが可能になる。
【００５４】
また、本実施形態に係るハサミ１００においては、凹部１２６は全ての櫛歯１２５に形成されているが、全ての櫛歯１２５に凹部１２６を形成することは必ずしも必要ではない。複数の櫛歯１２５のうちの少なくとも一つの櫛歯１２５に凹部１２６を形成すればよく、凹部１２６を形成する櫛歯１２５の数は必要に応じて決定することが可能である。
【００５５】
また、凹部１２６の形状はＶ字形状に限定されるものではなく、髪の毛２００を収納することができる形状である限りは、任意の形状を選択することが可能である。
【００５６】
（第二の実施形態）
図４は、本考案の第二の実施形態に係るハサミにおける第二のハサミ形成部材１２０の刃部１２１を部分的に拡大した平面図である。
【００５７】
本実施形態に係るハサミは、第一の実施形態に係るハサミ１００と比較して、凹部１２６の位置のみが異なっており、その他の構造に関しては、同一である。
【００５８】
本実施形態に係るハサミにおいては、凹部１２６は、第二のハサミ形成部材１２０の刃部１２１の長さ方向Lにおいて、櫛歯１２５の刃面１２３における中心位置Ｃよりも第二のハサミ形成部材１２０の先端側（図４の左側）に位置している。
【００５９】
一般に、梳きバサミを使用する場合、梳きバサミの先端側（図１の左側）を下に向けて使用することが多い。このため、仮に、凹部１２６が中心位置Ｃよりも回動軸１３０に近い側（図４の右側）、すなわち、第二のハサミ形成部材１２０の先端側とは反対側にあると、中心位置Ｃよりも第二のハサミ形成部材１２０の先端側に近い位置にある髪の毛が滑り落ちることとなり、髪の毛をカットしづらくなる。このため、凹部１２６を中心位置Ｃよりも第二のハサミ形成部材１２０の先端側に形成することにより、スムーズに髪の毛をカットすることができる。
【００６０】
（第三の実施形態）
図５は、本考案の第三の実施形態に係るハサミ３００の平面図であり、図６はハサミ３００における第二のハサミ形成部材１２０の刃部１２１を部分的に拡大した平面図である。
【００６１】
本実施形態に係るハサミは、第一の実施形態に係るハサミ１００と比較して、凹部１２６に代えて逆Ｖ字形状（あるいは、三角形形状）の凸部３１０が形成されており、その他の構造に関しては、同一である。このため、同一の構成要素には同一の参照符号を付す。
【００６２】
凸部３１０は、第一の実施形態における凹部１２６と同一の位置に形成されており、数本の髪の毛を留めることができる程度の高さに形成されている。
【００６３】
考案者が試作品を製作して試験を行ったところ、凸部３１０の高さは０．５乃至１．２ｍｍであることが好ましいことが判明した。
【００６４】
第一の実施形態に係るハサミ１００においては、凹部１２６の中に髪の毛が収納されることにより、適度な量の髪の毛をカットすることが可能になっていたのに対して、本実施形態に係るハサミ３００においては、凸部３１０に髪の毛が留められることにより、すなわち、凸部３１０によって髪の毛が刃面１２３上を滑り落ちることが防止されるため、第一の実施形態に係るハサミ１００と同様に、適度な量の髪の毛をカットすることが可能になっている。
【００６５】
第一の実施形態に係るハサミ１００と同様に、本実施形態に係るハサミ３００においても、各櫛歯１２５に形成される凸部３１０の数は一つには限定されるものではなく、二つ以上の凸部３１０を形成することが可能である。その場合、各凸部３１０の高さは同一であってもよく、あるいは、相互に異なっていてもよい。
【００６６】
また、第一の実施形態に係るハサミ１００と同様に、全ての櫛歯１２５に凸部３１０を形成することは必ずしも必要ではない。複数の櫛歯１２５のうちの少なくとも一つの櫛歯１２５に凸部３１０を形成すればよく、凸部３１０を形成する櫛歯１２５の数は必要に応じて決定することが可能である。
【００６７】
さらに、本実施形態に係るハサミ３００においても、第二の実施形態に係るハサミと同様に、凸部３１０の位置を、第二のハサミ形成部材１２０の刃部１２１の長さ方向Lにおいて、櫛歯１２５の刃面１２３における中心位置Ｃよりも第二のハサミ形成部材１２０の先端側（図６の左側）にすることも可能である。
【００６８】
また、凸部３１０の形状は逆Ｖ字形状に限定されるものではなく、髪の毛２００を留めることができる形状である限りは、任意の形状を選択することが可能である。
【００６９】
（第四の実施形態）
図７は、本考案の第四の実施形態に係るハサミにおける第二のハサミ形成部材１２０の刃部１２１を部分的に拡大した平面図である。
【００７０】
第一の実施形態に係るハサミ１００においては、櫛歯１２５に凹部１２６（図１参照）が形成され、第三の実施形態に係るハサミ３００においては、櫛歯１２５に凸部３１０（図５参照）が形成されているのに対して、本実施形態に係るハサミにおいては、櫛歯１２５に凹部１２６と凸部３１０の双方が形成されている。
【００７１】
図７に示すように、凸部３１０は、第二のハサミ形成部材１２０の刃部１２１の長さ方向Lにおいて、凹部１２６よりも、第二のハサミ形成部材１２０の先端側（図７の左側）に位置している。
【００７２】
本実施形態に係るハサミによれば、凹部１２６または凸部３１０の何れかにより、髪の毛が刃面１２１上を滑り落ちることを確実に防止することができるため、上記の実施形態に係るハサミと同様の効果を得ることができる。
【図面の簡単な説明】
【００７３】
【図１】本考案の第一の実施形態に係るハサミの平面図である。
【図２】本考案の第一の実施形態に係るハサミにおける一方のハサミ形成部材の刃部を部分的に拡大した平面図である。
【図３】本考案の第一の実施形態の変形例に係るハサミにおける一方のハサミ形成部材の刃部を部分的に拡大した平面図である。
【図４】本考案の第二の実施形態に係るハサミにおける一方のハサミ形成部材の刃部を部分的に拡大した平面図である。
【図５】本考案の第三の実施形態に係るハサミの平面図である。
【図６】本考案の第三の実施形態に係るハサミにおける一方のハサミ形成部材の刃部を部分的に拡大した平面図である。
【図７】本考案の第四の実施形態に係るハサミにおける一方のハサミ形成部材の刃部を部分的に拡大した平面図である。
【符号の説明】
【００７４】
１００  本考案の第一の実施形態に係るハサミ
１１０、１２０  ハサミ形成部材
１１１、１２１  刃部
１１２、１２２  リング
１２３  刃面
１２５  櫛歯
１２６、１２６１、１２６２、１２６３  凹部
１３０  回動軸
１４０  開口部
２００  髪の毛
３００  本考案の第三の実施形態に係るハサミ
３１０  凸部
【図１】
0003139583.tif 000003
【図２】
0003139583.tif 000004
【図３】
0003139583.tif 000005
【図４】
0003139583.tif 000006
【図５】
0003139583.tif 000007
【図６】
0003139583.tif 000008
【図７】
0003139583.tif 000009